(57)【特許請求の範囲】
【請求項１】
照明付ディスプレイ装置の外形を形成するフレームと、
ＬＥＤと該ＬＥＤを実装した基板とから構成され前記フレームに配設された照明部材と、
前記フレームの表示面側に配設されるシートと、
を備えた照明付ディスプレイ装置であって、
前記照明部材は、前記基板と前記フレームとの間に断熱部材を配置し、且つ、前記基板と前記フレームとの間に空隙を形成して設置し、
前記断熱部材は、少なくとも前記フレームと接触する面と前記基板と接触する面との２つの面を有し、その片面又は両面にローレットを形成したことを特徴とする照明付ディスプレイ装置。
【請求項２】
照明付ディスプレイ装置の外形を形成するフレームと、
ＬＥＤと該ＬＥＤを実装した基板とから構成され前記フレームに配設された照明部材と、
前記フレームの表示面側に配設されるシートと、
を備えた照明付ディスプレイ装置であって、
前記照明部材は、前記基板と前記フレームとの間に断熱部材を配置し、且つ、前記基板と前記フレームとの間に空隙を形成して設置し、
前記基板には、前記基板と前記フレームとを固定するための固着手段を挿入する穴を形成し、
前記断熱部材には、前記穴に挿入可能であって前記固着手段が貫通可能な中空の突起部を形成したことを特徴とする照明付ディスプレイ装置。
【請求項３】
照明付ディスプレイ装置の外形を形成するフレームと、
ＬＥＤと該ＬＥＤを実装した基板とから構成され前記フレームに配設された照明部材と、
を備えた照明付ディスプレイ装置用枠体であって、
前記照明部材は、前記基板と前記フレームとの間に断熱部材を配置し、且つ、前記基板と前記フレームとの間に空隙を形成して設置し、
前記断熱部材は、少なくとも前記フレームと接触する面と前記基板と接触する面との２つの面を有し、その片面又は両面にローレットを形成したことを特徴とする照明付ディスプレイ装置用枠体。
【請求項４】
照明付ディスプレイ装置の外形を形成するフレームと、
ＬＥＤと該ＬＥＤを実装した基板とから構成され前記フレームに配設された照明部材と、
を備えた照明付ディスプレイ装置用枠体であって、
前記照明部材は、前記基板と前記フレームとの間に断熱部材を配置し、且つ、前記基板と前記フレームとの間に空隙を形成して設置し、
前記基板には、前記基板と前記フレームとを固定するための固着手段を挿入する穴を形成し、
前記断熱部材には、前記穴に挿入可能であって前記固着手段が貫通可能な中空の突起部を形成したことを特徴とする照明付ディスプレイ装置用枠体。
【発明の詳細な説明】
【技術分野】
【０００１】
本発明は、照明付ディスプレイ装置及び照明付ディスプレイ装置用枠体に係り、特に、照明付ディスプレイ装置の外形を形成するフレームに可撓性を有するシートを張設して成る照明付ディスプレイ装置及びその照明付ディスプレイ装置の一部を形成する照明付ディスプレイ装置用枠体に関する。
【背景技術】
【０００２】
従来から、ディスプレイ装置の外形を形成するフレームに、広告や絵等のデザインを印刷した布等の可撓性を有するシートを張設したディスプレイ装置が知られている。
このディスプレイ装置は、例えば、広告や絵等のデザインを印刷した伸縮性のある布（ストレッチファブリック）の縁辺や四隅をアルミニウム製等のフレームに嵌め込む等して取り付け、その布に対して外側方向にテンションをかけて展張した状態で保持することにより構成されている。
【０００３】
このディスプレイ装置は、シートとフレームとの取り付けに難しい技術や工具を必要とせず、誰でも簡単に取り付け作業を行うことができるので、企業ショールーム、商業施設、展示会、仮設イベント等の広告看板や壁面としてよく利用されている。
また、内側に蛍光灯等の照明部材を設置してシートの裏面から光をあてることにより、光るディスプレイ装置（照明付ディスプレイ装置）として利用したり、内部に薄型スピーカーを設置して音響ディスプレイ装置として利用したりすることもできる。
このように、シートを張設して成るディスプレイ装置は、広告看板や各種ディスプレイとして利用価値が高く、今後益々普及することが期待されており、これに関する技術も種々提案されている（特許文献１、２）。
【０００４】
例えば、特許文献１には、端縁を円柱状芯棒に巻き付けて略円柱状突起を形成したシート状広告部材と、その略円柱状突起を長さ方向全体に亘って把持する把持筐体部を先端部に有するフレームとを備え、シート状広告部材をフレームに張設したディスプレイが記載されている。
また、特許文献２には、フレームと、このフレームに取り付けられる引張固定手段と、表示シートのコーナーを保持する保持手段とを備え、引張固定手段は、表示シートのコーナーの内角を二つに分ける直線に沿って保持手段に表示シートの外方向へテンションをかけるようにその保持手段を引っ張り固定するテンションパネルが記載されている。
【先行技術文献】
【特許文献】
【０００５】
【特許文献１】特開２０１２−００２８９１号公報
【特許文献２】特開平８−４４３０７号公報
【発明の概要】
【発明が解決しようとする課題】
【０００６】
一方、最近では省エネの観点から、このディスプレイ装置を照明付ディスプレイ装置として利用する際に、照明部材として蛍光灯に代えてＬＥＤ（発光ダイオード）を利用したものも増えてきている。具体的には、ＬＥＤを複数実装した基板をフレームの内側に設置して、照明付ディスプレイ装置の内部（シートの裏面側）から光を当てるものである。
しかしながら、フレームにＬＥＤを実装した基板を設置した場合、ＬＥＤや基板から発生する熱が基板からフレームに伝わり、フレームや照明付ディスプレイ装置全体が熱くなるという不都合が生じる場合がある。特に、フレームとして一般的によく利用されるアルミニウム製のフレームの場合、その素材の特性から熱伝導率が高いために熱くなりやすく、効果的に断熱や放熱を行う必要がある。
【０００７】
本発明は、上記の課題に鑑みてなされたものであり、本発明の目的は、照明部材としてＬＥＤを設置したフレームにシートを張設して成る照明付ディスプレイ装置において、ＬＥＤや基板から発生する熱を効率的に断熱又は放熱することが可能な照明付ディスプレイ装置、及び、その照明付ディスプレイ装置の一部を形成する照明付ディスプレイ装置用枠体を提供することにある。
【課題を解決するための手段】
【０００８】
前記課題は、本発明の照明付ディスプレイ装置によれば、照明付ディスプレイ装置の外形を形成するフレームと、ＬＥＤと該ＬＥＤを実装した基板とから構成され前記フレームに配設された照明部材と、前記フレームの表示面側に配設されるシートと、を備えた照明付ディスプレイ装置であって、前記照明部材は、前記基板と前記フレームとの間に断熱部材を配置し、且つ、前記基板と前記フレームとの間に空隙を形成して設置し、前記断熱部材は、少なくとも前記フレームと接触する面と前記基板と接触する面との２つの面を有し、その片面又は両面にローレットを形成した、ことにより解決される。
また、本発明の照明付ディスプレイ装置用枠体によれば、照明付ディスプレイ装置の外形を形成するフレームと、ＬＥＤと該ＬＥＤを実装した基板とから構成され前記フレームに配設された照明部材と、を備えた照明付ディスプレイ装置用枠体であって、前記照明部材は、前記基板と前記フレームとの間に断熱部材を配置し、且つ、前記基板と前記フレームと間に空隙を形成して設置し、前記断熱部材は、少なくとも前記フレームと接触する面と前記基板と接触する面との２つの面を有し、その片面又は両面にローレットを形成した、ことにより解決される。
【０００９】
このように、布等の可撓性を有するシートを張設することが可能なフレームにおいて、ＬＥＤを実装した基板を断熱部材を介在させてフレームに設置することにより、基板とフレームとが直接接触しないようにして、ＬＥＤや基板から発生する熱が基板からフレームに直接伝わらないように断熱することができる。
また、その断熱部材によって基板をフレームから浮かせて固定しているので、断熱部材が介在しない箇所には基板とフレームとの間に空隙を形成することができ、その空隙によってＬＥＤや基板から発生する熱を好適に放熱することができる。
さらに、単に基板とフレームとを離しているだけでなく、断熱部材を介して設置しているので、基板をフレーム上に安定して固定することができる。
さらに、断熱部材の片面又は両面に、凹凸形状や複数の突条を並設したローレットを形成することにより、基板やフレームと断熱部材とが接触する面積を小さくすることができ、より優れた断熱効果及び放熱効果を得ることができる。例えば、フレームと接触する面にローレットを形成すればフレームとの接触面積を小さくすることができ、基板と接触する面にローレットを形成すれば基板との接触面積を小さくすることができる。
【００１１】
前記課題は、本発明の照明付ディスプレイ装置によれば、照明付ディスプレイ装置の外形を形成するフレームと、ＬＥＤと該ＬＥＤを実装した基板とから構成され前記フレームに配設された照明部材と、前記フレームの表示面側に配設されるシートと、を備えた照明付ディスプレイ装置であって、前記照明部材は、前記基板と前記フレームとの間に断熱部材を配置し、且つ、前記基板と前記フレームとの間に空隙を形成して設置し、前記基板には、前記基板と前記フレームとを固定するための固着手段を挿入する穴を形成し、前記断熱部材には、前記穴に挿入可能であって前記固着手段が貫通可能な中空の突起部を形成する、ことにより解決される。
また、本発明の照明付ディスプレイ装置用枠体によれば、照明付ディスプレイ装置の外形を形成するフレームと、ＬＥＤと該ＬＥＤを実装した基板とから構成され前記フレームに配設された照明部材と、を備えた照明付ディスプレイ装置用枠体であって、前記照明部材は、前記基板と前記フレームとの間に断熱部材を配置し、且つ、前記基板と前記フレームとの間に空隙を形成して設置し、前記基板には、前記基板と前記フレームとを固定するための固着手段を挿入する穴を形成し、前記断熱部材には、前記穴に挿入可能であって前記固着手段が貫通可能な中空の突起部を形成した、ことにより解決される。
このように、断熱部材には、基板に形成されたボルトやビス等の固着手段を挿入するための穴に挿入可能であって、内部にはボルトやビス等が貫通可能な空洞を有する中空形状の突起部を形成する。そして、基板をフレームに設置する際には、この断熱部材の突起部を基板の穴に挿入し、その突起部内に固着手段を挿入して、基板とフレームとを固定する。
これにより、固着手段として熱伝導性の高い金属製のボルトやビス等を使用したとしても、固着手段と基板との間にも断熱部材（具体的には突起部）が介在することになり、固着手段と基板とが直接接触しないので、より優れた断熱効果及び放熱効果を得ることができる。
【発明の効果】
【００１２】
本発明の照明付ディスプレイ装置及び照明付ディスプレイ装置用枠体によれば、照明部材としてＬＥＤを設置したフレームにシートを張設して成る照明付ディスプレイ装置において、ＬＥＤや基板から発生する熱を効率的に断熱又は放熱することが可能となる。
【図面の簡単な説明】
【００１３】
【図１】照明付ディスプレイ装置の一例を示す斜視図である。
【図２】照明付ディスプレイ装置用枠体の一例を示す正面部分拡大図である。
【図３】照明付ディスプレイ装置用枠体のＡ−Ａ線断面図である。
【図４】断熱部材の正面図である。
【図５】フレームとＬＥＤ照明の取り付け前の状態を示す分解斜視図である。
【図６】フレームとＬＥＤ照明の取り付け状態を示す斜視図である。
【図７】シートとフレームとの取り付け部分を示す拡大断面図である。
【発明を実施するための形態】
【００１４】
以下、本発明の一実施形態（本実施形態）について図面を参照して説明する。
本実施形態は、照明付ディスプレイ装置の外形を形成する照明部材を備えたフレームにシートを張設して成る照明付ディスプレイ装置及びその照明付ディスプレイ装置の一部を形成する照明付ディスプレイ装置用枠体に関するものであり、特に、フレームに照明部材としてＬＥＤを設置し、そのＬＥＤやＬＥＤを実装した基板から発生する熱を効率的に断熱又は放熱することが可能な照明付ディスプレイ装置及び照明付ディスプレイ装置用枠体の発明に関するものである。
【００１５】
まず、本実施形態に係る照明付ディスプレイ装置１０の基本構成について説明する。
図１は、照明付ディスプレイ装置１０の一例を示す斜視図である。図２は、照明付ディスプレイ装置用枠体１１の一例を示す正面部分拡大図である。図３は、照明付ディスプレイ装置用枠体１１のＡ−Ａ線断面図である。
【００１６】
図１乃至図３に示すように、照明付ディスプレイ装置１０は、照明付ディスプレイ装置１０の外形を形成するフレーム１３とそのフレーム１３に設置されたＬＥＤ照明１４とから成る照明付ディスプレイ装置用枠体１１と、照明付ディスプレイ装置用枠体１１（具体的にはフレーム１３）に展張した状態で保持されるシート１２と、から主に構成されている。
【００１７】
照明付ディスプレイ装置用枠体１１を構成するフレーム１３は、後述するシート１２を展張した状態で取り付けることが可能な長尺状の部材であり、照明付ディスプレイ装置１０の周枠を形成する正面視で長方形形状の枠体である。
なお、本実施形態では、フレーム１３の形状は長方形であるが、これは一つの形状を例示するものであって、形状はこれに限定されるものではない。例えば、正方形や三角形等のその他の多角形であってもよいし、円形や楕円形等であってもよい。
【００１８】
フレーム１３は、アルミニウム等の金属材料から成り、型成形、又は、薄板状の金属板に折り曲げ加工を施すこと等により形成されている。具体的には、図２及び図３に示すように、主に、外側面１６、スリット１７、傾斜面１８、端面１９、差込溝２０、及び、フランジ２１とスリット２２から成る基板取付部２３等を有する。また、その他、適宜形成されたリブにより、空隙を形成して断面積を小さくしつつも、機械的強度及び剛性を高めている。
また、本実施形態では、縦フレームと横フレームとは長尺方向の長さは異なるものの、その断面は同一形状である。
なお、本実施形態で示すフレーム１３の断面形状は一例であり、この断面形状に限定されるものではない。
【００１９】
外側面１６は、照明付ディスプレイ装置１０及び照明付ディスプレイ装置用枠体１１の側面を形成する部分である。その外側面１６の略中央部には、スリット１７がフレーム１３の長尺方向に沿って形成されている。スリット１７は、照明付ディスプレイ装置１０を保持するための土台や柱となる不図示の外側フレームに固定するためのものであり、フレーム１３は、スリット１７に挿入した不図示のボルト等の一部を外側面１６に引っ掛けて固定すること等により外側フレームと固定される。
【００２０】
傾斜面１８は、外側面１６に対向するべく照明付ディスプレイ装置１０の内側（シート１２の裏面側）に位置する部分である。傾斜面１８は、外側面１６の端面１９からフレーム１３の中央、且つ、照明付ディスプレイ装置１０の中心方向に向けてテーパが形成されている。また、傾斜面１８の表面には、フレーム１３の長尺方向に沿った細かい溝が複数形成されている。この傾斜面１８の構造により、後述するＬＥＤ照明１４の光がより均一にシート１２に照射され、シート１２に印刷された広告や絵等をきれいに表示することができる。
【００２１】
フレーム１３の表示面側である外側面１６の端面１９と傾斜面１８との間には、後述するシート１２に固着された差込部材１５（図７）を差し込むための差込溝２０がフレーム１３の長尺方向に沿って形成されている。この差込溝２０に差込部材１５を差し込むことにより、シート１２はフレーム１３に着脱自在に取り付けられる構成である。
特に、本実施形態は、照明付ディスプレイ装置１０の表面側と裏面側の両面にシート１２を取り付けることができるものであり、フレーム１３の前後両方に差込溝２０を有している。また、フレーム１３の長尺方向の中心線（スリット１７が形成されている位置）に対して前後対象の構造となっている。
なお、この形態に限定されるものではなく、照明付ディスプレイ装置１０の表面側のみに差込溝２０を形成して片面にシート１２を取り付ける構造であってもよいし、前後対象としなくてもよい。また、フレーム１３の外側面の幅（フレーム１３の長尺方向と直交する長さ）を短くすることもできる。
【００２２】
また、フレーム１３の内側略中央部、すなわち、外側面１６のスリット１７と対向する照明付ディスプレイ装置１０の内側に位置する部分には、フランジ２１とスリット２２により形成された基板取付部２３がフレーム１３の長尺方向に沿って設けられている。具体的には、フレーム１３の長尺方向の中心線に対して前後対称に形成されている一組の板状体の一部が互いに中央方向に折れ曲がってフランジ２１を形成し、そのフランジ２１の先端部同士の隙間がスリット２２を形成する。なお、スリット２２の幅は、後述するボルト３１やナット３２がフランジ２１に引っ掛かって、スリット２２から抜けてしまわない程度の幅である。
この基板取付部２３には、照明部材であるＬＥＤ照明１４の基板２４を設置することができる。フレーム１３にＬＥＤ照明１４を設置することによって、照明付ディスプレイ装置１０内部にてシート１２の裏面側に対して光を照射することができる。
なお、基板取付部２３の位置は、本実施例の位置に限定されるものではなく、照明付ディスプレイ装置１０の内部にてシート１２の裏面側に対して光を照射できるものであればどこであってもよく、フレーム１３の内側にフランジとスリットを適宜形成することができる。
【００２３】
フレーム１３に設置されるＬＥＤ照明１４は、表面実装型のＬＥＤパッケージ２５を基板２４に複数実装して所定の光量を得るようにしたものである。
基板２４は、横長の直方形状でアルミニウム等の金属材料の板材から成る平板であり、表面には絶縁被膜を施し、その上には銅箔によりパターンが形成されている。また、基板２４は、フレーム１３と固着するためのボルト３１が貫通するための穴３３が適宜形成されている。
ＬＥＤパッケージ２５は、セラミックスで形成された本体に配設されたＬＥＤチップと、このＬＥＤチップを封止するエポキシ系樹脂やシリコン樹脂等のモールド用の透光性樹脂と、から主に構成されている。ＬＥＤチップは、青色光を発光する青色のＬＥＤチップである。また、透光性樹脂には、蛍光体が混入されており、白色光を照射するために青色の光とは補色の関係にある黄色系の光を放射する黄色蛍光体が使用されている。
なお、ＬＥＤ照明１４は、上記に限定されるものではなく、ＬＥＤチップを基板２４に直接実装するようにしてもよいし、砲弾型のＬＥＤを実装するようにしてもよい。また、基板の材質は、金属材料に限定されず、ガラスエポキシ等の合成樹脂材料であってもよい。
【００２４】
本実施形態では、フレーム１３のうち上下の横フレームにこのＬＥＤ照明１４を取り付けている。ＬＥＤ照明１４は、照明付ディスプレイ装置１０の四辺全てのフレーム１３に配設してもよいが、本実施形態のように、上下の横フレーム又は左右の縦フレーム等、照明付ディスプレイ装置用枠体１１の相対する二辺に配設し、上下又は左右方向から中央に向けて光を照射することが好ましい。
【００２５】
特に、本実施形態では、このＬＥＤ照明１４は、断熱部材２６を介してフレーム１３に設置される。すなわち、ＬＥＤ照明１４の基板２４をフレーム１３に直接取り付けるのではなく、断熱部材２６にＬＥＤ照明１４の基板２４を取り付け、その断熱部材２６を間に介在させてフレーム１３に取り付ける構成とする。
これにより、ＬＥＤ照明１４の基板２４とフレーム１３とが直接接触しない構造となるので、ＬＥＤ照明１４の熱が基板２４からフレーム１３に直接伝わらないように断熱することができる。
【００２６】
断熱部材２６は、例えば、衝撃に強く耐熱性や難燃性にも優れたＡＢＳ樹脂等の合成樹脂から成る板状の部材であり、型成形等により形成されている。
具体的には、図４の断熱部材２６の正面図に示すように、本体部２７と、本体部２７の四隅から表面側に突出した四本の爪部２８と、本体部２７の略中央から表面側に突出した中空の円筒状突起部２９とを有し、これらの爪部２８や円筒状突起部２９は、本体部２７と一体に形成されている。
【００２７】
本体部２７の略中央には、フレーム１３と基板２４とを固着するためのボルト３１が貫通する穴が形成されており、その穴は円筒状突起部２９の中空部分と連通している。
爪部２８の先端部分は鉤状になっており、断熱部材２６は、その爪部２８の先端部分を基板２４に引っ掛けることにより、基板２４に固定される。
円筒状突起部２９の外周の直径は、基板２４の穴３３に挿入可能な大きさである。また、円筒状突起部２９の高さは、基板２４の厚みと同じかそれ以上とする。
【００２８】
本体部２７の裏面、すなわち、フレーム１３に接触する側の面には、細かい凹凸形状の加工を施したローレット３０が形成されている。本実施形態では、本体部２７の裏面全体に複数の三角柱が、側面の一面が本体部２７の裏面に接触するように複数形成されている。
なお、ローレット３０は本実施形態のような形状に限定されるものではなく、基板２４に断熱部材２６を取り付けてフレーム１３に設置する際に断熱部材２６とフレーム１３との接触面積が小さくなるものであればよい。例えば、綾目ローレットの他、斜めローレットや平目ローレットであってもよいし、複数の突起物や突条部を形成するようなものであってもよい。
また、本実施形態では、本体部２７の裏面にのみローレット３０が形成されているが、表面、すなわち、基板２４と接触する面にも裏面と同様にローレットを形成してもよいし、表面のみローレットを形成してもよい。
【００２９】
次に、照明付ディスプレイ装置用枠体１１を形成するＬＥＤ照明１４とフレーム１３との設置構造について、図５及び図６を参照して説明する。
図５は、フレーム１３とＬＥＤ照明１４の取り付け前の状態を示す分解斜視図である。図６は、フレーム１３とＬＥＤ照明１４の取り付け状態を示す斜視図である。
【００３０】
まず、基板２４に断熱部材２６を取り付ける。
具体的には、基板２４の穴３３と断熱部材２６の円筒状突起部２９の位置を合せて、断熱部材２６を基板２４の裏面側に嵌め込む。このとき、断熱部材２６の円筒状突起部２９は、穴３３に挿入される。そして、断熱部材２６の爪部２８の鉤状の先端部を基板２４に引っ掛けることにより、断熱部材２６は基板２４に固定される。
なお、断熱部材２６は、ＬＥＤ照明１４の基板２４の長尺方向に沿って、所定の間隔をあけて複数取り付けられる。
【００３１】
続いて、断熱部材２６を嵌め込んだ基板２４を、ボルト３１とナット３２の固着手段により、フレーム１３に設置する。
具体的には、基板取付部２３のスリット２２の位置に基板２４の穴３３の位置を合せて、フレーム１３側からスリット２２及び穴３３にボルト３１を挿入し、基板２４の表面側にて貫通したボルト３１にナット３２を締め付けることにより、照明付ディスプレイ装置１０の外側からフレーム１３（基板取付部２３）、断熱部材２６、ＬＥＤ照明１４（基板２４）の順に固着する。
【００３２】
図６に示すように、上記の通りフレーム１３に設置されたＬＥＤ照明１４は、フレーム１３との間に断熱部材２６を介しているので、その断熱部材２６の厚み分だけ基板２４がフレーム１３から離れることになり、基板２４の裏面とフレーム１３と間に空隙３４が形成される。
これにより、基板２４とフレーム１３とが直接接触することがなくなるので、ＬＥＤ照明１４から発生する熱が基板２４からフレーム１３に直接伝わらないように断熱すると共に、空隙３４によってＬＥＤ照明１４から発生する熱を放熱することができる。
特に、断熱部材２６の裏面側にはローレット３０が形成されているので、断熱部材２６とフレーム１３との接触面積も小さくなり、さらに断熱効果及び放熱効果が期待できる。
また、円筒状突起部２９により、ボルト３１と基板２４（具体的は基板２４の穴３３）とが直接接触しないので、ボルト３１が熱伝導性の高い金属製であっても、十分な断熱効果及び放熱効果が期待できる。
また、複数の断熱部材２６により、フレーム１３と基板２４との間に空隙３４を形成しつつも、フレーム１３上に安定して設置されている。
【００３３】
シート１２は、ナイロンやポリエステル等の合成繊維、綿や麻等の天然繊維等から成る布等の可撓性を有する長方形の薄い部材である。シート１２の形状は、図１に示すように、フレーム１３の形状に対応している。また、シート１２は、伸縮性を備えており、柔軟ではあるが、特に引っ張りに対する強度が高いものである。
シート１２の表面には、広告や絵等のデザインが印刷されており、照明付ディスプレイ装置用枠体１１（フレーム１３）に取り付けることにより、照明付ディスプレイ装置１０の表示面を形成する。
なお、本実施形態では、シート１２の形状はフレーム１３に対応した長方形であるが、これは一つの形状を例示するものであって、シート１２の形状はフレーム１３の形状に応じて適宜変更可能である。
【００３４】
シート１２の周縁には、シート１２を照明付ディスプレイ装置用枠体１１に取り付けるための差込部材１５（図７）が、縫製又は接着剤等の手段により、シート１２を囲うようにそれぞれの辺に固着されている。
差込部材１５は、直方体の板状長尺物であり、例えば、弾性を有するシリコン樹脂製のゴム状成形物等が用いられる。また、差込部材１５の長尺方向の長さはシート１２の縦及び横の長さとほぼ同じであり、差込部材１５の長尺方向の長さは、シート１２の四辺の長さにそれぞれ対応している。本実施形態では、シート１２の周縁の各辺に差込部材１５を固着しているので、合計４つの差込部材１５を備えることになる。
なお、本実施形態では、シート１２の周縁全体に差込部材１５を固着する構成としたが、シート１２を照明付ディスプレイ装置用枠体１１に取り付けることができれば、差込部材１５を固着する箇所は、四隅等のシート１２の周縁の一部であってもよい。
【００３５】
ここで、シート１２とフレーム１３との取り付け構造について、図７を参照して具体的に説明する。図７は、シート１２とフレーム１３との取り付け部分を示す拡大断面図である。
【００３６】
図７に示すように、シート１２の周縁に固着された差込部材１５は、フレーム１３の差込溝２０に差し込まれる。差込溝２０に差し込まれた差込部材１５は、差込溝２０の内壁と嵌合して固定される。これにより、シート１２は展張した状態でフレーム１３に取り付けられる。
すなわち、フレーム１３に取り付けられたシート１２は、シート１２の周縁に配置されたフレーム１３から均等な力で上下左右方向に引っ張られることになり、この張力（テンション）はシート１２の四隅にそれぞれ対向するように外側方向にかけられる。そして、各張力がバランス良く釣り合うことによって、シート１２は歪みなく展張して平面状に維持され、表面に波や皺が形成されることなく張設されている。
【００３７】
このように、本実施形態では、シート１２の周縁に固着した差込部材１５を照明付ディスプレイ装置用枠体１１を構成するフレーム１３の差込溝２０に差し込んで固定することにより、照明付ディスプレイ装置１０を形成する。また、シート１２を照明付ディスプレイ装置用枠体１１から外すときも、シート１２やシート１２の一部に設けた不図示の取っ手部を適度な力で引っ張ることにより、差込部材１５が差込溝２０から抜けるので、簡単に取り外すことができる。
そのため、照明付ディスプレイ装置１０の表示面を異なる広告や絵等に変更したいときでも、シート１２を照明付ディスプレイ装置用枠体１１に差し込むという簡単な作業により、容易且つ迅速に交換可能である。特に、差込部材１５は弾性を有するシリコン樹脂製のゴム状成形物であるので、差込溝２０に差し込む際にも特別な技術を必要とせず、手間がかからない。
【００３８】
このように、本実施形態の照明付ディスプレイ装置１０は、照明付ディスプレイ装置１０の内部、すなわち、照明付ディスプレイ装置用枠体１１に取り付けたシート１２の裏側から、シート１２に対してＬＥＤ照明１４により光を照射するものである。
したがって、シート１２を照明付ディスプレイ装置用枠体１１に差し込んで嵌めるだけで、簡単に大型の照明付ディスプレイ装置１０ができあがる。また、シート１２は、専門知識がなくても簡単に張り替えできるので、汎用性も高い。また、シート１２を照明付ディスプレイ装置用枠体１１から着脱可能としたことにより、保管や輸送も簡単である。さらに、ＬＥＤ照明１４の熱により照明付ディスプレイ装置１０や照明付ディスプレイ装置用枠体１１が熱くなることを好適に防止できるので、積極的にＬＥＤ照明１４を利用することが可能となり、環境負荷を低減することができる。
【００３９】
本実施形態の照明付ディスプレイ装置１０は、上記のような特徴を備えるので、例えば、社名ロゴディスプレイ、プレス発表会等のディスプレイ、新製品等のイメージグラフィック、インフォメーション壁面、展示会ブースの壁面等、展示会や仮設イベントにおいて、ディスプレイや広告として有効的に利用することができる。
また、店舗、販売マンションやギャラリー、映画館やパチンコ店等の広告、ショッピングモール内の広告ディスプレイ等、企業ショールームや商業施設において、広告媒体用としても利用することができる。
【００４０】
なお、上記の実施形態には、主として本発明の照明付ディスプレイ装置及び照明付ディスプレイ装置用枠体について説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
【符号の説明】
【００４１】
１０  照明付ディスプレイ装置
１１  照明付ディスプレイ装置用枠体
１２  シート
１３  フレーム
１４  ＬＥＤ照明
１５  差込部材
１６  外側面
１７  スリット
１８  傾斜面
１９  端面
２０  差込溝
２１  フランジ
２２  スリット
２３  基板取付部
２４  基板
２５  ＬＥＤパッケージ
２６  断熱部材
２７  本体部
２８  爪部
２９  円筒状突起部
３０  ローレット
３１  ボルト
３２  ナット
３３  穴
３４  空隙
【図１】
0006624869.tif 000002
【図２】
0006624869.tif 000003
【図３】
0006624869.tif 000004
【図４】
0006624869.tif 000005
【図５】
0006624869.tif 000006
【図６】
0006624869.tif 000007
【図７】
0006624869.tif 000008